(57)【要約】【課題】  容器本体１とフタ体２とが分離しても鏡８が外れないようにし、鏡８の再利用を可能にする。【解決手段】  容器本体１に取付けたフタ体２とからなり、フタ体２に設けた鏡収納部１３はフタ体２を閉じたときに容器本体１と対向する側に鏡露出窓１４を形成し、一側面には挿入口１５を設け、挿入口１５に対して直交する両側面１７の高さ方向長さＬ２より高さ方向長さＬ１を短くした収納部側凸部１８を形成し、鏡収納部１３に収納する鏡枠９を備え、鏡枠９には鏡８を組み込み、鏡枠８の両側面には挿入口１５に対して直交する両側面１７に対して摺動自在にしたガイド突片１１を設け、ガイド突片１１は両側面１７の高さ方向長さＬ２から収納部側凸部１８の高さ方向長さＬ１を差し引いた分の厚さＬ３を保持し、ガイド突片１１を設けた側の側面であってガイド突片１１以外の面に収納部側凸部１８と引っ掛かり合う枠側凸部１２を設けた。【選択図】  図２
2005296221.tif 000002
【特許請求の範囲】
【請求項１】
樹脂製の容器本体と、この容器本体に開閉自在に取付けた樹脂製のフタ体とからなるコンパクト容器において、上記フタ体は、鏡収納部を有し、この鏡収納部は、フタ体を閉じたときに容器本体と対向する側に鏡露出窓を形成するとともに、一側面には挿入口を設け、この挿入口に対して直交する両側面であって、それら両側面の高さ方向長さよりも高さ方向長さを短くした収納部側凸部を形成する一方、上記鏡収納部に収納する樹脂製の鏡枠を備え、この鏡枠には鏡を組み込むとともに、この鏡枠の両側面には、鏡収納部の挿入口に対して直交する上記両側面に対して摺動自在にしたガイド突片を設け、このガイド突片は、上記鏡収納部の両側面の高さ方向長さから収納部側凸部の上記高さ方向長さを差し引いた分の厚さを保持するとともに、上記鏡枠のガイド突片を設けた側の側面であってそのガイド突片以外の面に、上記収納部側凸部と引っ掛かり合う枠側凸部を設け、鏡枠を鏡収納部にぴったりと収納したとき、上記収納部側凸部と枠側凸部とが引っ掛かり合って、鏡枠が鏡収納部から脱落するのを防止する構成にしたコンパクト容器。
【発明の詳細な説明】
【技術分野】
【０００１】
この発明は、フタ体に取付けた鏡を取り外し可能にしたコンパクト容器に関する。
【背景技術】
【０００２】
この種のコンパクト容器として、文献１に記載された発明が従来から知られているが、この文献１に記載された発明を従来として示したが図７および図８である。
この従来から知られているコンパクト容器は、平面四角形の容器本体５０とフタ体５１とをからなる。そして、容器本体５０は、ファンデーション等の化粧品を充填する凹部５０ａを設ける一方、容器本体５０の一辺には支持凸部５２を設けるとともに、この支持凸部５２の両端には連結ピン５３を設けている。
【０００３】
また、フタ体５１は、一対の挿入溝５４，５４を互いに対向させて、これら溝５４，５４間に鏡５５を挿入するようにしている。そして、上記鏡５５を挿入するときの挿入方向後端側には、一対の連結凸部５６，５６を形成しているが、この連結凸部５６，５６の対向間隔は、前記した支持凸部５２の長さよりもほんのわずかだけ大きくしている。しかも、この連結凸部５６，５６の対向面には、上記連結ピン５３，５３を挿入するための軸穴５７，５７を形成するとともに、この軸穴５７，５７に導くための導入溝５７ａ，５７ａを形成している。
【０００４】
今、フタ体５１を容器本体５０に組み付けるには、容器本体５０の支持凸部５２に設けた連結ピン５３，５３と、フタ体５１の連結凸部５６，５６に設けた導入溝５７ａ，５７ａとを一致させるとともに、連結ピン５３，５３をそのまま軸穴５７にまで導く。このようにすれば、容器本体５０とフタ体５１とは、連結ピン５３，５３を軸として回動自在に組み合わせられる。
【０００５】
そして、挿入溝５４，５４間に鏡５５を挿入した状態で、上記のようにフタ体５１を容器本体５０に組み付けることによって、支持凸部５２が、図８に示すように、鏡５５の押さえとして機能し、鏡５５がフタ体５１から抜けるのを防止する。
【特許文献１】特開平１０−０４２９４３号公報
【発明の開示】
【発明が解決しようとする課題】
【０００６】
上記のようにした従来の容器では、まず、フタ体５１が容器本体５０から外れると、鏡５５がフタ体５１から抜け出てしまうという問題があった。なぜならば、フタ体５１を容器本体５０に組み付けた状態で、鏡５５が抜けるのを防止しているのが、容器本体５０側の支持凸部５２だからである。そのために、フタ体５１が容器本体５０から外れてしまうと、フタ体５１から鏡５５が外れてしまう。
【０００７】
また、当該容器が不要になったとき、例えば、容器本体５０に入れた化粧品がなくなったときに、鏡５５だけを外してそれを新たな容器に再び組み付けて使用するという構成にはなっていなかった。そのために、当該容器内の化粧品がなくなってしまえば、鏡は当該容器とともに廃棄されるのが現状であった。しかし、実際には、鏡のほとんどが再利用可能である。それにもかかわらず、鏡は当該容器とともに廃棄されていたので、資源の有効活用という観点からも多くの問題を抱えていた。
この発明の目的は、フタ体と容器本体とが外れても、鏡が脱落しないとともに、その鏡の再利用を可能にしたコンパクト容器を提供することである。
【課題を解決するための手段】
【０００８】
この発明は、樹脂製の容器本体と、この容器本体に開閉自在に取付けた樹脂製のフタ体とからなるコンパクト容器において、上記フタ体は、鏡収納部を有し、この鏡収納部は、フタ体を閉じたときに容器本体と対向する側に鏡露出窓を形成するとともに、一側面には挿入口を設け、この挿入口に対して直交する両側面であって、それら両側面の高さ方向長さよりも高さ方向長さを短くした収納部側凸部を形成する一方、上記鏡収納部に収納する樹脂製の鏡枠を備え、この鏡枠には鏡を組み込むとともに、この鏡枠の両側面には、鏡収納部の挿入口に対して直交する上記両側面に対して摺動自在にしたガイド突片を設け、このガイド突片は、上記鏡収納部の両側面の高さ方向長さから収納部側凸部の上記高さ方向長さを差し引いた分の厚さを保持するとともに、上記鏡枠のガイド突片を設けた側の側面であってガイド突片以外の面に、上記収納部側凸部と引っ掛かり合う枠側凸部を設け、鏡枠を鏡収納部にぴったりと収納したとき、上記収納部側凸部と枠側凸部とが引っ掛かり合って、鏡枠が鏡収納部から脱落するのを防止する構成にした点に特徴を有する。
【発明の効果】
【０００９】
この発明によれば、収納部側凸部と枠側凸部とが引っ掛かり合うことによって、鏡枠が鏡収納部から脱落するのを防止することができる。したがって、フタ体が容器本体から外れたとしても、使用者の意に反して鏡枠が鏡収納部から落ちてしまうことを防止できる。
【００１０】
また、鏡を鏡枠に入れるとともに、その鏡枠をフタ体に入れたり、あるいはフタ体から鏡枠を外したりできるので、例えば、当該容器に化粧品がなくなったときには、フタ体から鏡を入れた鏡枠を取り外し、それを新たな容器に組み込むことができる。したがって、鏡の再利用が可能になり、資源の有効活用につなげられるという効果を期待できる。
【発明を実施するための最良の形態】
【００１１】
図１〜図６に示すこの発明の実施形態は、合成樹脂製の容器本体１と同じく合成樹脂製のフタ体２とを備え、容器本体１側には、化粧品を充填する凹部３を形成するとともに、対向間隔を保った一対の連結凸部４，４を設けている。そして、この連結凸部４，４は、その対向面に軸穴５，５を形成している。
【００１２】
一方、上記フタ体２は、その一側に支持凸部６を設け、この支持凸部６の両側に連結ピン７，７を設けている。このようにした支持凸部６は、その長さを、上記連結凸部４，４の対向間隔よりもわずかに短くして、支持凸部６を連結凸部４，４間に挿入できるようにしている。そして、上記のように支持凸部６を連結凸部４，４間に入れながら、その連結ピン７，７を軸穴５，５に入れることによって、フタ体２を容器本体１に対して回動自在に組み付けることができる。
【００１３】
そして、上記フタ体２には、図２に示すように、鏡８を固定的に組み込んだ鏡枠９を、組み入れたり、あるいはそれを取り外したりできるようにしているが、その具体的な構成は次の通りである。すなわち、上記鏡枠９は、鏡８を組み付けるための組み付け凹部１０を備えるとともに、両側にはガイド突片１１，１１を設けている。このように鏡枠９の両側に設けたガイド突片１１，１１は、鏡枠９の側面全長にわたって設けるとともに、その厚さは、鏡枠９の厚さのほぼ半分程度にしている。
【００１４】
さらに、鏡枠９のガイド突片１１，１１を設けた側面には、図４に示すように、断面円弧状にした枠側凸部１２，１２を設けている。つまり、この枠側凸部１２，１２は、ガイド突片１１，１１を設けた側面に、ガイド突片１１，１１とは別の箇所に設けたものである。
【００１５】
一方、フタ体２には、鏡枠８を収納する鏡収納部１３を有するが、この鏡収納部１３は、フタ体２を閉じたときに容器本体１と対向する側に鏡露出窓１４を形成している。また、この鏡収納部１３は、前記した鏡枠８を挿入するための挿入口１５を設けている。
【００１６】
さらに、上記鏡収納部１３であって上記挿入口１５に直交する両側面には、鏡露出窓１４の縁１６，１６とフタ体２の底面２ａとが相まってガイド溝１７，１７が構成されるが、このガイド溝１７，１７は、挿入口１５から挿入した鏡枠８を摺動自在にガイドするものである。
上記のようにしたフタ体２の両側面であるガイド溝１７，１７内には、図３に示すように、収納部側凸部１８，１８を設けている。そして、この収納部側凸部１８，１８を設けた鏡収納部１３と鏡８を組み込んだ鏡枠９との相対関係は以下の通りである。
【００１７】
まず、上記収納部側凸部１８，１８は、鏡枠９のガイド突片１１，１１が通過するのに支障のない高さ位置を保っている。さらに詳しく説明すると、収納部側凸部１８，１８は、その高さ方向長さＬ１を、図４に示すように、挿入口１５に対して直交するフタ体２の両側面すなわち上記ガイド溝１７，１７の高さ方向長さＬ２よりも短くするとともに、この収納部側凸部１８，１８の下側にガイド突片１１，１１が通過するのに必要な間隔Ｌ３を確保している。言い換えると、ガイド突片１１，１１は、鏡収納部１３の両側面の高さ方向長さＬ２から収納部側凸部１８，１８の上記高さ方向長さＬ１を差し引いた分の厚さを保持している。
また、上記収納部側凸部１８，１８と枠側凸部１２，１２とは、鏡収納部１３に鏡枠９を収納したとき、それら両者が同じ高さ位置を保つようにしている。
【００１８】
次に、この鏡収納部１３に鏡枠９を組み込む場合について説明する。
先ず、鏡収納部１３の挿入口１５から鏡枠９を挿入して、鏡収納部１３のガイド溝１７，１７内にガイド突片１１，１１を挿入する。このとき、収納部側凸部１８，１８と枠側凸部１２，１２との高さが同じ位置にあるので、図５に示すように、それら両凸部がぶつかり合うことになる。このような状況の中で、鏡枠９を矢印１９方向に強制的に押し込むと、合成樹脂材からなる両凸部が多少変形するので、図６に示すように、枠側凸部１２が収納部側凸部１８を乗り越えることができる。
【００１９】
そして、上記のように枠側凸部１２が収納部側凸部１８を乗り越えたその時点で、鏡枠９が鏡収納部１３にぴったりと収納される寸法関係にしている。したがって、鏡枠９が鏡収納部１３にぴったりと収納されたときには、図６に示すように、枠側凸部１２が収納部側凸部１８に引っ掛かって、鏡枠９が鏡収納部１３から抜け出ることがなくなる。
なお、上記のように鏡枠９が鏡収納部１３にぴったりと収納されたときには、鏡枠９の鏡８が鏡露出窓１４から露出する関係にしている。
【００２０】
また、上記のように鏡収納部１３に収納した鏡枠９をさらに取り出すときには、図６の状態から、鏡枠９を矢印２０方向に強制的に引き出せば、このときも、枠側凸部１２が収納部側凸部１８を乗り越える。したがって、鏡枠９を鏡収納部１３から引き出すことができる。
【００２１】
この実施形態のコンパクト容器は、上記のように構成したので、容器本体１とフタ体２とが外れても、フタ体２から鏡８が外れたりしない。
また、フタ体２に対して鏡８を組み込んだ鏡枠９を出し入れできるので、当該容器を廃棄するときには、鏡枠９だけを取り出してそれを再利用することができる。
【図面の簡単な説明】
【００２２】
【図１】容器本体とフタ体とを分離した状態の斜視図である。
【図２】フタ体の鏡収納部に鏡枠を入れる状況を示した斜視図である。
【図３】収納部側凸部の拡大一部断面図である。
【図４】フタ体の鏡収納部に鏡枠を組み込んだ状態の断面図である。
【図５】フタ体の鏡収納部に鏡枠を組み込む状態の部分断面図である。
【図６】フタ体の鏡収納部に鏡枠を組み込んだ状態の部分断面図である。
【図７】従来のコンパクト容器を示す分解斜視図である。
【図８】従来のコンパクト容器を示す部分断面図である。
【符号の説明】
【００２３】
１      容器本体
２      フタ体
８      鏡
９      鏡枠
１１    ガイド突片
１２    枠側凸部
１３    鏡収納部
１４    鏡露出窓
１５    挿入口
１８    収納部側凸部
Ｌ１    収納部側凸部の高さ方向長さ
Ｌ２    鏡収納部の両側面の高さ方向長さ
Ｌ３    ガイド突片の厚さ
【図１】
2005296221.tif 000003
【図２】
2005296221.tif 000004
【図３】
2005296221.tif 000005
【図４】
2005296221.tif 000006
【図５】
2005296221.tif 000007
【図６】
2005296221.tif 000008
【図７】
2005296221.tif 000009
【図８】
2005296221.tif 000010